【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
ユーザ端末におけるアプリケーションの使用状況、及びユーザ端末に対する通知を記憶する記憶部と、ネットワークを介して、前記ユーザ端末に接続された制御部とを用いて、複数のアプリケーションを管理する方法であって、
前記記憶部には、
前記アプリケーションのユーザ毎に、他のユーザ又は前記アプリケーションとの関係を示すユーザ関連性情報が記憶され、
前記制御部が、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記ユーザ関連性情報に基づいて前記ユーザ端末のユーザとの関連性を評価し、前記関連性の評価結果に応じて通知方法を決定し、決定した前記通知方法に基づいて前記通知を出力することを特徴とする通知管理方法。
【請求項２】
ユーザ端末におけるアプリケーションの使用状況、及びユーザ端末に対する通知を記憶する記憶部と、ネットワークを介して、前記ユーザ端末に接続された制御部とを用いて、複数のアプリケーションを管理する方法であって、
前記制御部が、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記通知に含まれるキーワードに基づいて緊急性を評価し、前記緊急性の評価結果に応じて通知方法を決定し、決定した前記通知方法に基づいて前記通知を出力することを特徴とする通知管理方法。
【請求項３】
前記記憶部には、前記ユーザ端末において、アプリケーション表示内において出力した通知の対応履歴を記憶し、
前記制御部が、
新たな通知を受信した場合、前記記憶部において、前記通知と共通する過去の通知に対する対応履歴を特定し、
前記対応履歴に基づいて、前記通知種別に応じて統合した通知を出力することを特徴とする請求項１又は２に記載の通知管理方法。
【請求項４】
前記制御部が、
前記ユーザ端末において使用中のアプリケーションの状態を評価し、
前記状態に対応する対応履歴を特定することを特徴とする請求項３に記載の通知管理方法。
【請求項５】
前記通知に関連する他のアプリケーションについての情報を、前記通知の通知種別に応じて異なるタブが付加された画面に出力することを特徴とする請求項１〜４のいずれか１項に記載の通知管理方法。
【請求項６】
前記他のアプリケーションには、ゲームに関するものが含まれ、
前記ゲームにおいてユーザが用いるキャラクタの体力の回復状況を取得し、
前記通知種別として前記回復状況を示す情報を統合することを特徴とする請求項１〜５のいずれか１項に記載の通知管理方法。
【請求項７】
前記他のアプリケーションには、ゲームに関するものが含まれ、
前記ゲームについての他のユーザからの協力要請を取得し、
前記通知種別として前記他のユーザからの協力要請を統合して出力することを特徴とする請求項１〜６のいずれか１項に記載の通知管理方法。
【請求項８】
ユーザ端末におけるアプリケーションの使用状況、及びユーザ端末に対する通知を記憶する記憶部と、ネットワークを介して、前記ユーザ端末に接続された制御部とを備え、
前記記憶部には、
前記アプリケーションのユーザ毎に、他のユーザ又は前記アプリケーションとの関係を示すユーザ関連性情報が記憶され、
前記制御部が、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記ユーザ関連性情報に基づいて前記ユーザ端末のユーザとの関連性を評価し、前記関連性の評価結果に応じて通知方法を決定し、決定した前記通知方法に基づいて前記通知を出力することを特徴とする通知管理システム。
【請求項９】
ユーザ端末におけるアプリケーションの使用状況、及びユーザ端末に対する通知を記憶する記憶部と、ネットワークを介して、前記ユーザ端末に接続された制御部とを備え、
前記制御部が、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記通知に含まれるキーワードに基づいて緊急性を評価し、前記緊急性の評価結果に応じて通知方法を決定し、決定した前記通知方法に基づいて前記通知を出力することを特徴とする通知管理システム。
【請求項１０】
ユーザ端末におけるアプリケーションの使用状況、及びユーザ端末に対する通知を記憶する記憶部と、ネットワークを介して、前記ユーザ端末に接続された制御部とを用いて、複数のアプリケーションを管理するプログラムであって、
前記記憶部には、
前記アプリケーションのユーザ毎に、他のユーザ又は前記アプリケーションとの関係を
示すユーザ関連性情報が記憶され、
前記制御部を、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記ユーザ関連性情報に基づいて前記ユーザ端末のユーザとの関連性を評価し、前記関連性の評価結果に応じて通知方法を決定し、決定した前記通知方法に基づいて前記通知を出力する手段として機能させることを特徴とする通知管理プログラム。
【請求項１１】
ユーザ端末におけるアプリケーションの使用状況、及びユーザ端末に対する通知を記憶する記憶部と、ネットワークを介して、前記ユーザ端末に接続された制御部とを用いて、複数のアプリケーションを管理するプログラムであって、
前記制御部を、
前記ユーザ端末に対する前記アプリケーションについての新たな通知を受信した場合、前記記憶部において、前記ユーザ端末でのアプリケーションの使用状況を確認し、
前記受信した通知が、前記ユーザ端末で使用中のアプリケーションと異なる他のアプリケーションについての通知である場合、前記通知に含まれるキーワードに基づいて緊急性を評価し、前記緊急性の評価結果に応じて通知方法を決定し、決定した前記通知方法に基づいて前記通知を出力する手段として機能させることを特徴とする通知管理プログラム。
【手続補正２】
【補正対象書類名】明細書
【補正対象項目名】発明の名称
【補正方法】変更
【補正の内容】
【発明の名称】通知管理方法、通知管理システム、及び通知管理プログラム
【手続補正３】
【補正対象書類名】明細書
【補正対象項目名】０００１
【補正方法】変更
【補正の内容】
【０００１】
本発明は、ユーザに対する通知を管理する通知管理方法、通知管理システム、及び通知管理プログラムに関する。
【手続補正４】
【補正対象書類名】明細書
【補正対象項目名】００１０
【補正方法】変更
【補正の内容】
【００１０】
本発明は、上述した問題に鑑みてなされたものであり、その目的は、ユーザに対して効率的に通知を行なうための通知管理方法、通知管理システム、及び通知管理プログラムを提供することにある。
【手続補正５】
【補正対象書類名】明細書
【補正対象項目名】００１１
【補正方法】変更
【補正の内容】
【００１１】
（１）上記課題を解決する通知管理方法においては、ユーザ端末におけるゲームに関す
るアプリケーションの使用状況、及びユーザ端末に対する通知を記憶する記憶部と、ネットワークを介して、前記ユーザ端末に接続された制御部とを用いる。前記記憶部には、前記アプリケーションのユーザ毎に、他のユーザ又は前記アプリケーションとの関係を示すユーザ関連性情報が記憶されている。そして、前記制御部が、前記ユーザ端末に対する前記アプリケーションについての新たな通知を受信した場合、前記記憶部において、前記ユーザ端末でのアプリケーションの使用状況を確認し、前記受信した通知が、前記ユーザ端末で使用中のアプリケーションと異なる他のアプリケーションについての通知である場合、前記ユーザ関連性情報に基づいて前記ユーザ端末のユーザとの関連性を評価し、前記関連性の評価結果に応じて前記通知方法を決定し、決定した前記通知方法に基づいて前記通知を出力する。
上記課題を解決する通知管理方法においては、ユーザ端末におけるアプリケーションの使用状況、及びユーザ端末に対する通知を記憶する記憶部と、ネットワークを介して、前記ユーザ端末に接続された制御部とを用いる。そして、前記制御部が、前記ユーザ端末に対する前記アプリケーションについての新たな通知を受信した場合、当該通知を前記記憶部に記憶し、前記受信した通知が、前記ユーザ端末で使用中のアプリケーションと異なる他のアプリケーションについての通知である場合、前記通知に含まれるキーワードに基づいて緊急性を評価し、前記緊急性の評価結果に応じて前記通知方法を決定し、決定した前記通知方法に基づいて前記通知を出力する。
これにより、アプリケーションの使用中であっても、タイムリーに通知を出力することができる。